(57)【要約】【課題】ユーザが液晶スクリーンの前にいるか否かに基づき、液晶スクリーンのバックライトモジュールをオフするか否かを判断するバックライトモジュールの制御方法を提供する。【解決手段】バックライトモジュールの制御方法は、撮影装置を起動させるステップ１１０と、所定の時間間隔をおいて前方画像を撮影するステップ１２０と、前方画像に人の顔の特徴があるか否かを識別するステップ１３０と、前方画像に人の顔の特徴が無い場合、前方画像の撮影時間を記録するステップ１４０と、前方画像に連続して人の顔の特徴が現れない累積時間を計算するステップ１５０と、バックライトをオフする時間より累積時間が長いか否かを判断するステップ１６０と、バックライトをオフする時間より累積時間が長いとき、液晶スクリーンのバックライトモジュールをオフするステップ１７０とを含む。【選択図】図１
2010113330.tif 000002
【特許請求の範囲】
【請求項１】
撮影装置を起動させるステップと、
所定の時間間隔をおいて前方画像を撮影するステップと、
前記前方画像に人の顔の特徴があるか否かを識別するステップと、
前記前方画像に人の顔の特徴がない場合、前記前方画像の撮影時間を記録するステップと、
前記前方画像に連続して人の顔の特徴が現れない累積時間を計算するステップと、
バックライトをオフする時間より前記累積時間が長いか否かを判断するステップと、
前記バックライトをオフする時間より前記累積時間が長いとき、液晶スクリーンのバックライトモジュールをオフするステップと、を含むことを特徴とするバックライトモジュールの制御方法。
【請求項２】
前記液晶スクリーンの前記バックライトモジュールがオフ状態であり、前記前方画像に人の顔の特徴があるとき、前記液晶スクリーンの前記バックライトモジュールをオンするステップをさらに含むことを特徴とする請求項１に記載のバックライトモジュールの制御方法。
【請求項３】
前記液晶スクリーンの前記バックライトモジュールがオフ状態のとき、前記撮影装置をオフする時間より前記累積時間が長いか否かを判断するステップと、
前記撮影装置をオフする時間より前記累積時間が長いとき、前記撮影装置をオフするステップと、をさらに含むことを特徴とする請求項１に記載のバックライトモジュールの制御方法。
【請求項４】
前記液晶スクリーンの前記バックライトモジュールがオフ状態であり、前記前方画像に人の顔の特徴があるとき、先の画像と前記前方画像とを比較し、同一人物の顔の特徴があるか否かを判断するステップと、
前記先の画像と前記前方画像とを比較し、同一人物の顔の特徴があると判断したときに、前記液晶スクリーンの前記バックライトモジュールをオンするステップと、をさらに含むことを特徴とする請求項１に記載のバックライトモジュールの制御方法。
【請求項５】
前記液晶スクリーンの前記バックライトモジュールがオフ状態であり、前記前方画像に人の顔の特徴があるとき、前記前方画像から前方ユーザの顔部特徴をキャプチャするステップと、
先のユーザの顔部特徴と前記前方ユーザの顔部特徴とを比較し、前記先のユーザと前記前方ユーザとが同一人物であるか否かを判断するステップと、
前記先のユーザと前記前方ユーザとが同一人物であるとき、前記液晶スクリーンの前記バックライトモジュールをオンするステップと、をさらに含むことを特徴とする請求項１に記載のバックライトモジュールの制御方法。
【請求項６】
所定の時間間隔をおいて前方画像を撮影する撮影装置と、
バックライトモジュールを含む液晶スクリーンと、
表示制御ユニットと、
少なくとも１つの識別コマンドを記憶する識別コマンドのデータベースと、
前記識別コマンドを利用し、前記前方画像が人の顔の特徴を有するか否かを識別する識別モジュールと、前記前方画像に人の顔の特徴が無いとき、前記前方画像の撮影時間を記録し、前記撮影時間を基に、前記前方画像に連続して人の顔の特徴が現れない累積時間を計算する時間モジュールと、を有する処理ユニットと、を備えることを特徴とする電子装置。
【請求項７】
前記処理ユニットは、
前記液晶スクリーンの前記バックライトモジュールがオフ状態であり、前記前方画像が人の顔の特徴を有するとき、前記表示制御ユニットにより前記液晶スクリーンの前記バックライトモジュールをオンするバックライトオンモジュールをさらに備えることを特徴とする請求項６に記載の電子装置。
【請求項８】
前記処理ユニットは、
前記撮影装置をオフする時間より前記累積時間が長いとき、前記撮影装置をオフする撮影オフモジュールをさらに含むことを特徴とする請求項６に記載の電子装置。
【請求項９】
前記処理ユニットは、
前記液晶スクリーンの前記バックライトモジュールがオフ状態であり、前記前方画像が人の顔の特徴を有するとき、先の画像と前記前方画像とが同一人物の顔の特徴を有するか否かを比較して判断する比較モジュールと、
前記先の画像と前記前方画像とが同一人物の顔の特徴を有するとき、前記表示制御ユニットにより前記液晶スクリーンの前記バックライトモジュールをオンするバックライトオンモジュールと、をさらに含むことを特徴とする請求項６に記載の電子装置。
【請求項１０】
前記処理ユニットは、
前記液晶スクリーンの前記バックライトモジュールがオフ状態であり、前記前方画像が人の顔の特徴を有するとき、前記前方画像から前方ユーザの顔部の特徴をキャプチャし、先のユーザの顔部の特徴と前記前方ユーザの顔部の特徴とを比較し、前記先のユーザと前記前方ユーザとが同一人物であるか否かを判断する比較モジュールと、
前記先のユーザと前記前方ユーザとが同一人物であるとき、前記表示制御ユニットにより前記液晶スクリーンの前記バックライトモジュールをオンするバックライトオンモジュールと、をさらに含むことを特徴とする請求項６に記載の電子装置。
【発明の詳細な説明】
【技術分野】
【０００１】
本発明は電子デジタルデータの処理方法等に関し、特に消費電力を低減させることが可能なバックライトモジュールの制御方法及び電子装置に関する。
【背景技術】
【０００２】
各メーカーは、ノート型パソコンの電池寿命を延ばすために、低消費電力型のチップを開発したり、様々な新型の低消費電力型表示技術を開発したりしている。特にスクリーンの消費電力は、ノート型パソコンの消費電力全体の約２０〜４０％を占めるため、スクリーンの消費電力を低減させた場合、ノート型パソコンの電池寿命を延ばすことができる。
【０００３】
従来技術では、ユーザがコンピュータを連続使用していない時間を基に、ユーザがコンピュータを使用し続けたいのか否かを判断していた。さらに詳細には、ユーザがコンピュータを長時間使用しない場合、コンピュータスクリーンをオフすることにより、消費電力を節減させていた。しかし、ユーザが映画鑑賞などをする場合、コンピュータを操作せずにスクリーンを見るだけであったため、鑑賞途中でスクリーンがオフする不都合が発生することがあった。
【０００４】
そのため、ユーザが長時間映画を鑑賞するときにもスクリーンがオフされることを防ぎながら消費電力を低減させる方法が求められていた。
【発明の概要】
【発明が解決しようとする課題】
【０００５】
本発明の目的は、ユーザが液晶スクリーンの前にいるか否かに基づき、液晶スクリーンのバックライトモジュールをオフするか否かを判断するバックライトモジュールの制御方法及び電子装置を提供することにある。
【課題を解決するための手段】
【０００６】
（１）  撮影装置を起動させるステップと、所定の時間間隔をおいて前方画像を撮影するステップと、前記前方画像に人の顔の特徴があるか否かを識別するステップと、前記前方画像に人の顔の特徴がない場合、前記前方画像の撮影時間を記録するステップと、前記前方画像に連続して人の顔の特徴が現れない累積時間を計算するステップと、バックライトをオフする時間より前記累積時間が長いか否かを判断するステップと、前記バックライトをオフする時間より前記累積時間が長いとき、液晶スクリーンのバックライトモジュールをオフするステップと、を含むことを特徴とするバックライトモジュールの制御方法。
【０００７】
（２）  前記液晶スクリーンの前記バックライトモジュールがオフ状態であり、前記前方画像に人の顔の特徴があるとき、前記液晶スクリーンの前記バックライトモジュールをオンするステップをさらに含むことを特徴とする（１）に記載のバックライトモジュールの制御方法。
【０００８】
（３）  前記液晶スクリーンの前記バックライトモジュールがオフ状態のとき、前記撮影装置をオフする時間より前記累積時間が長いか否かを判断するステップと、前記撮影装置をオフする時間より前記累積時間が長いとき、前記撮影装置をオフするステップと、をさらに含むことを特徴とする（１）に記載のバックライトモジュールの制御方法。
【０００９】
（４）  前記液晶スクリーンの前記バックライトモジュールがオフ状態であり、前記前方画像に人の顔の特徴があるとき、先の画像と前記前方画像とを比較し、同一人物の顔の特徴があるか否かを判断するステップと、前記先の画像と前記前方画像とを比較し、同一人物の顔の特徴があると判断したときに、前記液晶スクリーンの前記バックライトモジュールをオンするステップと、をさらに含むことを特徴とする（１）に記載のバックライトモジュールの制御方法。
【００１０】
（５）  前記液晶スクリーンの前記バックライトモジュールがオフ状態であり、前記前方画像に人の顔の特徴があるとき、前記前方画像から前方ユーザの顔部特徴をキャプチャするステップと、先のユーザの顔部特徴と前記前方ユーザの顔部特徴とを比較し、前記先のユーザと前記前方ユーザとが同一人物であるか否かを判断するステップと、前記先のユーザと前記前方ユーザとが同一人物であるとき、前記液晶スクリーンの前記バックライトモジュールをオンするステップと、をさらに含むことを特徴とする（１）に記載のバックライトモジュールの制御方法。
【００１１】
（６）  所定の時間間隔をおいて前方画像を撮影する撮影装置と、バックライトモジュールを含む液晶スクリーンと、表示制御ユニットと、少なくとも１つの識別コマンドを記憶する識別コマンドのデータベースと、前記識別コマンドを利用し、前記前方画像が人の顔の特徴を有するか否かを識別する識別モジュールと、前記前方画像に人の顔の特徴が無いとき、前記前方画像の撮影時間を記録し、前記撮影時間を基に、前記前方画像に連続して人の顔の特徴が現れない累積時間を計算する時間モジュールと、を有する処理ユニットと、を備えることを特徴とする電子装置。
【００１２】
（７）  前記処理ユニットは、前記液晶スクリーンの前記バックライトモジュールがオフ状態であり、前記前方画像が人の顔の特徴を有するとき、前記表示制御ユニットにより前記液晶スクリーンの前記バックライトモジュールをオンするバックライトオンモジュールをさらに備えることを特徴とする（６）に記載の電子装置。
【００１３】
（８）  前記処理ユニットは、前記撮影装置をオフする時間より前記累積時間が長いとき、前記撮影装置をオフする撮影オフモジュールをさらに含むことを特徴とする（６）に記載の電子装置。
【００１４】
（９）  前記処理ユニットは、前記液晶スクリーンの前記バックライトモジュールがオフ状態であり、前記前方画像が人の顔の特徴を有するとき、先の画像と前記前方画像とが同一人物の顔の特徴を有するか否かを比較して判断する比較モジュールと、前記先の画像と前記前方画像とが同一人物の顔の特徴を有するとき、前記表示制御ユニットにより前記液晶スクリーンの前記バックライトモジュールをオンするバックライトオンモジュールと、をさらに含むことを特徴とする（６）に記載の電子装置。
【００１５】
（１０）  前記処理ユニットは、前記液晶スクリーンの前記バックライトモジュールがオフ状態であり、前記前方画像が人の顔の特徴を有するとき、前記前方画像から前方ユーザの顔部の特徴をキャプチャし、先のユーザの顔部の特徴と前記前方ユーザの顔部の特徴とを比較し、前記先のユーザと前記前方ユーザとが同一人物であるか否かを判断する比較モジュールと、前記先のユーザと前記前方ユーザとが同一人物であるとき、前記表示制御ユニットにより前記液晶スクリーンの前記バックライトモジュールをオンするバックライトオンモジュールと、をさらに含むことを特徴とする（６）に記載の電子装置。
【発明の効果】
【００１６】
この様に、本発明にかかるバックライトモジュールの制御方法及び電子装置によれば、ユーザが液晶スクリーンの前にいるか否かに基づき、液晶スクリーンのバックライトモジュールをオフするか否かを判断することができる。
【図面の簡単な説明】
【００１７】
【図１】本発明の一実施形態によるバックライトモジュールの制御方法を示す流れ図である。
【図２】図１の液晶スクリーンのバックライトモジュールをオンするステップ１８０と、撮影装置をオフするステップ１９０とを示す流れ図である。
【図３】本発明の他の実施形態による電子装置を示す機能ブロック図である。
【発明を実施するための形態】
【００１８】
以下、本発明を適用した具体的な実施の形態について図面を参照しながら詳細に説明する。
【００１９】
図１を参照する。図１は、本発明の一実施形態によるバックライトモジュールの制御方法１００を示す流れ図である。バックライトモジュールの制御方法１００は、電子装置の前にユーザがいるか否かを識別することにより、液晶スクリーンのバックライトモジュールをオフするか否かを判断する。バックライトモジュールの制御方法１００は、液晶スクリーンおよび撮影装置（例えば、ウェブカメラ（ｗｅｂｃａｍ）など）を含む電子装置に応用することができる。バックライトモジュールの制御方法１００は、以下のステップを含む（本実施形態で述べるステップは、特にその順序が説明されている場合を除き、実際の必要に応じて順序の前後を入れ替えることができる上、それらのステップの全てまたは一部を同時に実行することもできる。）。
【００２０】
撮影装置を起動させ（ステップ１１０）、所定の時間間隔をおいて電子装置の前の画像（以下「前方画像」という）を撮影する（ステップ１２０）。つまり、撮影装置を用いて前方画像を撮影する。
【００２１】
続いて、ステップ１３０において、前方画像が人の顔の特徴を有するか否かを識別する。つまり、人の顔を識別するソフトウェアにより、眉毛、目、鼻、口および顔の輪郭をそれぞれキャプチャし、ソフトウェア内部の人の顔の特徴のデータベースと照合し、画像が人の顔の特徴を有するか否かを調べ、電子装置の前にユーザがいるか否かを判断する。
【００２２】
前方画像が人の顔の特徴を有するときは、所定の時間間隔をおいて前方画像を撮影し続ける（ステップ１２０）。しかし、前方画像に人の顔の特徴が無いときは、前方画像の撮影時間を記録する（ステップ１４０）。
【００２３】
ステップ１５０において、前方画像に連続して人の顔が現れない累積時間を計算する。ここで、予め記録しておいた前方画像に人の顔の特徴が無いときの撮影時間に基づき、連続して人の顔が現れない累積時間を計算してもよい。また、前方画像に連続して人の顔が現れない回数に基づき、連続して人の顔が現れない累積時間を計算してもよい。
【００２４】
ステップ１６０において、バックライトがオフされる時間より累積時間が長いか否かを判断する。バックライトをオフする時間は、ユーザインタフェースを介してユーザが設定してもよい。
【００２５】
バックライトがオフされる時間より累積時間が短いときは、所定の時間間隔をおいて前方画像を撮影し続ける（ステップ１２０）。バックライトをオフする時間より累積時間が長いときは、液晶スクリーンのバックライトモジュールをオフする（ステップ１７０）。つまり、バックライトモジュールの制御方法１００は、電子装置の前にユーザが一定時間いないとき、液晶スクリーンのバックライトモジュールをオフする。
【００２６】
バックライトモジュールは、液晶スクリーンのなかで最も消費電力が大きい部品であるため、電子装置の前にユーザがいないことを識別したときにバックライトモジュールをオフすると、液晶スクリーンの消費電力を大幅に低減させることができる。また、一般に撮影装置の消費電力が液晶スクリーンの消費電力よりもはるかに少ないため、このバックライトモジュールの制御方法１００は、撮影装置を起動させる必要があるものの、電子装置全体の消費電力を大幅に低減させることができる。電子装置の電力を電池で供給する場合、バックライトモジュールの制御方法１００により消費電力を低減させることができるため、電子装置が使用する電池の寿命を延ばすことができる。
【００２７】
また、バックライトモジュールの制御方法１００は、ユーザが電子装置の前に戻ると、液晶スクリーンのバックライトモジュールをオンする（ステップ１８０）。ユーザが電子装置の前に長時間戻らないときは、電子装置の消費電力をさらに低減させるために撮影装置をオフする（ステップ１９０）。図２を参照する。図２は、図１の液晶スクリーンのバックライトモジュールをオンし（ステップ１８０）、撮影装置をオフする（ステップ１９０）ときの状態を示す流れ図である。液晶スクリーンのバックライトモジュールを再びオンするステップ（ステップ１８０）と、撮影装置をオフするステップ（ステップ１９０）とは、以下のステップを含む。
【００２８】
ステップ２１０において、液晶スクリーンのバックライトモジュールをオフすると、所定の時間間隔をおいて前方画像を撮影する。ステップ２２０において、前方画像が人の顔の特徴を有するか否かを識別する。
【００２９】
ステップ２３０において、前方画像に顔の特徴が無いとき、前方画像の撮影時間を記録する。ステップ２４０において、前方画像に連続して人の顔が現れない累積時間を計算する。
【００３０】
ステップ２５０において、撮影装置をオフする時間より前方画像に連続して人の顔が現れない累積時間が長いか否かを判断する。撮影装置をオフする時間は、ユーザインタフェースを介してユーザが設定することができる。
【００３１】
撮影装置をオフする時間より前方画像に連続して人の顔が現れない累積時間が短いとき、所定の時間間隔をおいて前方画像を撮影し続ける（ステップ２１０）。撮影装置をオフする時間より前方画像に連続して人の顔が現れない累積時間が長い場合、撮影装置をオフする（ステップ２６０）。撮影装置をオフする時間は、バックライトをオフする時間より長い。このように、電子装置の前にユーザが長時間戻らないときに撮影装置をオフすることにより、電子装置全体の消費電力をさらに低減させることができる。
【００３２】
しかし、ステップ２２０を行った後に、前方画像が人の顔の特徴を有すると判断した場合、液晶スクリーンのバックライトモジュールをオンする（ステップ２８０）。つまり、ユーザが電子装置の前に戻ったときに、液晶スクリーンのバックライトモジュールを再びオンし、液晶スクリーン上の画像を再び表示させてもよい。
【００３３】
また、ステップ２８０を行う前に、電子装置の前にいる前方ユーザが、先のユーザと同一人物であるか否かを判断する（ステップ２７０）。そして、前方ユーザが、先のユーザと同一人物であるときにだけ、液晶スクリーンのバックライトモジュールをオンする（ステップ２８０）。これにより、電子装置からユーザが離れた後、他のユーザにより電子装置が使用されることを防ぐことができる。ステップ２７０にて、前方ユーザが先のユーザと同一人物でないときには、液晶スクリーンのバックライトモジュールをオンせずに、液晶スクリーンの前の前方画像を撮影し続ける（ステップ２１０）。
【００３４】
さらに詳細には、ステップ２７０において、前方画像の顔の特徴と先の画像の顔の特徴とを比較し、同一人物の顔の特徴の有無により、前方画像の前方ユーザ（電子装置の前にいるユーザ）と先のユーザとが同一人物であるか否かを判断してもよい。先の液晶スクリーンのバックライトモジュール状態がオンであり、前方画像に人の顔の特徴を識別した場合、人の顔の特徴が識別された前方画像を先の画像として保存してもよい。
【００３５】
また、ステップ２７０において、前方画像から前方ユーザの顔部の特徴をキャプチャし、先のユーザの顔部の特徴とキャプチャした前方ユーザの顔部の特徴とを比較することにより、先のユーザと前方ユーザとが同一人物であるか否かを判断してもよい。先の液晶スクリーンのバックライトモジュールがオン状態であり、前方画像に人の顔の特徴が識別された場合、前方画像から人の顔の特徴をキャプチャし、キャプチャした人の顔の特徴を先のユーザの顔部の特徴として保存してもよい。
【００３６】
図３を参照する。図３は、本発明の他の実施形態による電子装置３００を示す機能ブロック図である。この電子装置は、撮影装置を用いて電子装置の前にユーザがいるか否かを識別し、液晶スクリーンのバックライトモジュールをオフするか否かを判断する。電子装置３００は、撮影装置３１０、液晶スクリーン３２０、表示制御ユニット３３０、識別コマンドのデータベース３４０および処理ユニット３５０を含む。撮影装置３１０は、所定の時間間隔をおいて前方画像を撮影する。液晶スクリーン３２０は、バックライトモジュール３２１を含む。バックライトモジュール３２１は、冷陰極蛍光管バックライトモジュール、発光ダイオードバックライトモジュールまたは他のバックライトモジュールでもよい。識別コマンドのデータベース３４０は、少なくとも１つの識別コマンドを保存する。処理ユニット３５０は、識別モジュール３５１、時間モジュール３５２およびバックライトオフモジュール３５３を含む。識別モジュール３５１は、識別コマンドを利用して前方画像が人の顔の特徴を有するか否かを判断する。つまり、この識別モジュール３５１は、識別コマンドを利用し、画像の眉毛、目、鼻、口および顔の輪郭をキャプチャし、電子装置３００の前にユーザがいるか否かを判断してもよい。時間モジュール３５２は、前方画像に人の顔の特徴が無いとき、前方画像の撮影時間を記録し、この撮影時間に基づき、前方画像に連続して人の顔の特徴が現れない累積時間を計算する。バックライトオフモジュール３５３は、累積時間がバックライトをオフする時間より長いとき、表示制御ユニット３３０によりバックライトモジュール３２１をオフする。ユーザは、ユーザインタフェース３６０を介してバックライトをオフする時間を設定してもよい。
【００３７】
液晶スクリーン３２０は、電子装置３００のなかでも消費電力が大きい部品であり、バックライトモジュール３２１は、液晶スクリーン３２０のなかでも消費電力の大きい部品である。このため、ユーザが電子装置３００の前にいないとき、バックライトモジュール３２１をオフすることにより、液晶スクリーン３２０の消費電力を大幅に低減させることができる。例えば、バックライトモジュール３２１が冷陰極蛍光管バックライトモジュールであるとき、バックライトモジュール３２１の消費電力は、液晶スクリーン３２０の消費電力の約７０〜８０％である。そのため、バックライトモジュール３２１をオフすると、液晶スクリーン３２０の消費電力を大幅に低減させることができる。
【００３８】
また、一般に撮影装置３１０（例えば、ウェブカメラ）の消費電力は、液晶スクリーン３２０の消費電力よりもはるかに少ないため、電子装置３００は、撮影装置３１０を起動させる必要があるものの、同じハードウェア構造を有する他の電子装置を使用するより消費電力が少なくなる。そのため、電子装置３００の電力供給に電池を使用する場合、電池寿命を延ばすことができる。
【００３９】
また、処理ユニット３５０は、バックライトモジュール３２１がオフ状態であり、前方画像が人の顔の特徴を有する場合、表示制御ユニット３３０によりバックライトモジュール３２１をオンするために用いるバックライトオンモジュール３５４を含んでもよい。このように、電子装置３００の前にユーザが戻ると、電子装置３００によりバックライトモジュール３２１をオンし、液晶スクリーン３２０の画像を再び表示させることができる。
【００４０】
また、処理ユニット３５０は、前方画像に連続して人の顔が現れない累積時間が撮影装置をオフする時間より長いとき、撮影装置３１０をオフするために用いる撮影オフモジュール３５５を含んでもよい。撮影装置をオフする時間は、バックライトをオフする時間より長い。ユーザインタフェース３６０を介して撮影装置をオフする時間は、ユーザが設定してもよい。これにより、ユーザが電子装置の前に長時間いないとき、消費電力を低減させるために、電子装置３００により撮影装置をオフする。
【００４１】
また、電子装置３００は、電子装置３００の前にユーザが戻ったとき、その前方ユーザが先のユーザと同一人物であるか否かを判断し、同一人物であると判断したときにだけバックライトモジュール３２１をオンする。このため、処理ユニット３５０は、前方ユーザと先のユーザとを比較し、同一人物であるか否かを判断するために用いる比較モジュール３５６を含んでもよい。一方、バックライトオンモジュール３５４は、前方ユーザと先のユーザとが同一人物であると判断したときにだけ、バックライトモジュール３２１をオンする。このように、先のユーザが電子装置３００の前に戻ったときにだけ、バックライトモジュールをオンし、電子装置３００が他のユーザに使用されることを防ぐ。
【００４２】
詳細には、比較モジュール３５６は、バックライトモジュール３２１がオフ状態であり、前方画像が人の顔の特徴を有するとき、先の画像の人の顔の特徴と前方画像の人の顔の特徴とを比較し、同一人物の顔の特徴を有するか否かを判断する。識別モジュール３５１は、先の前方画像が人の顔の特徴を有することを識別すると、人の顔の特徴を有すると識別した前方画像を先の画像として保存してもよい。バックライトオンモジュール３５４は、先の画像および前方画像が同一人物の顔の特徴を有する場合、表示制御ユニット３３０によりバックライトモジュール３２１をオンする。
【００４３】
また、比較モジュール３５６は、バックライトモジュール３２１がオフ状態であり、前方画像に人の顔の特徴が識別されたとき、前方画像から前方ユーザの顔部の特徴をキャプチャし、先のユーザの顔部の特徴と前方ユーザの顔部の特徴とを比較し、先のユーザと前方ユーザとが同一人物であるか否かを判断する。識別モジュール３５１が先の前方画像に人の顔の特徴を識別する場合、人の顔の特徴を識別した前方画像から人の顔の特徴をキャプチャし、先のユーザの顔部の特徴として保存してもよい。バックライトオンモジュール３５４は、先のユーザと前方ユーザとが同一人物である場合、表示制御ユニット３３０によりバックライトモジュール３２１をオンする。
【００４４】
尚、本発明は上述の実施の形態に限られるものではなく、各構成は本発明の趣旨を逸脱しない範囲で適宜変更することが可能である。
【符号の説明】
【００４５】
１００  バックライトモジュールの制御方法
３００  電子装置
３１０  撮影装置
３２０  液晶スクリーン
３２１  バックライトモジュール
３３０  表示制御ユニット
３４０  識別コマンドのデータベース
３５０  処理ユニット
３５１  識別モジュール
３５２  時間モジュール
３５３  バックライトオフモジュール
３５４  バックライトオンモジュール
３５５  撮影オフモジュール
３５６  比較モジュール
３６０  ユーザインタフェース
【図１】
2010113330.tif 000003
【図２】
2010113330.tif 000004
【図３】
2010113330.tif 000005